(57)【特許請求の範囲】
【請求項１】
周波数テーブルに基づきデジタル放送の受信を行う受信手段と、デジタル放送の各チャンネルに応じた周波数に順次同調してスキャンを行うスキャン手段とを有する放送受信装置を複数、通信可能に接続した放送受信装置システムにおいて、
複数の放送受信装置の中の一の放送受信装置はマスターの放送受信装置にしてあると共に、残りの他の放送受信装置はスレーブの放送受信装置にしてあり、
前記スレーブの放送受信装置は、
スキャンにより判明した受信可能な周波数に係る情報を含むスキャン結果を、前記マスターの放送受信装置へ送信する手段を備え、
前記マスターの放送受信装置は、
前記スレーブの放送受信装置から送信されてくるスキャン結果、及び自身のスキャン結果に基づき、受信すべき周波数を決定する決定手段と、
決定した受信すべき周波数に係る情報を含む周波数テーブルを作成するテーブル作成手段と、
作成した周波数テーブルを前記スレーブの放送受信装置へ送信する手段と
を備えることを特徴とする放送受信装置システム。
【請求項２】
周波数テーブルに基づきデジタル放送を受信すると共に、デジタル放送の各チャンネルに応じた周波数に順次同調してスキャンを行う放送受信装置を複数、通信可能に接続した放送受信装置システムで、周波数テーブルを作成する周波数テーブル作成方法において、
複数の放送受信装置の中の一の放送受信装置はマスターの放送受信装置にしてあると共に、残りの他の放送受信装置はスレーブの放送受信装置にしてあり、
前記スレーブの放送受信装置は、
スキャンにより判明した受信可能な周波数に係る情報を含むスキャン結果を、前記マスターの放送受信装置へ送信するステップを備え、
前記マスターの放送受信装置は、
前記スレーブの放送受信装置から送信されてくるスキャン結果、及び自身のスキャン結果に基づき、受信すべき周波数を決定するステップと、
決定した受信すべき周波数に係る情報を含む周波数テーブルを作成するステップと、
作成した周波数テーブルを前記スレーブの放送受信装置へ送信するステップと
を備ることを特徴とする周波数テーブル作成方法。
【請求項３】
周波数テーブルに基づきデジタル放送の受信を行う受信手段と、デジタル放送の各チャンネルに応じた周波数に順次同調してスキャンを行うスキャン手段と、外部の放送受信装置と通信する通信手段とを備える放送受信装置において、
スキャンにより判明した受信可能な周波数に係る情報を含むスキャン結果を、外部の放送受信装置へ送信する手段と、
スキャン結果の送信に応じて、スキャン結果の送信先となる外部の放送受信装置から周波数テーブルを受信する手段と、
周波数テーブルを、受信した周波数テーブルに更新する更新手段と
を備えることを特徴とする放送受信装置。
【請求項４】
外部の放送受信装置から、スキャン指示を受信する手段を備え、
前記スキャン指示を受信した場合、前記スキャン結果を送信するようにしてある請求項３に記載の放送受信装置。
【請求項５】
前記スキャン結果を、スキャンを行った時刻と対応付けて送信するようにしてある請求項３又は請求項４に記載の放送受信装置。
【請求項６】
位置情報を検出する位置情報検出手段を備え、
前記スキャン結果を、前記位置情報検出手段が検出した位置情報と対応付けて送信するようにしてある請求項３乃至請求項５のいずれか１項に記載の放送受信装置。
【請求項７】
周波数テーブルに基づきデジタル放送の受信を行う受信手段と、デジタル放送の各チャンネルに応じた周波数に順次同調してスキャンを行うスキャン手段と、外部の放送受信装置と通信する通信手段とを備える放送受信装置において、
外部の放送受信装置から送信されてくる受信可能な周波数に係る情報を含むスキャン結果を受信する手段と、
受信したスキャン結果、及び自身のスキャン結果に基づき、受信すべき周波数を決定する決定手段と、
決定した受信すべき周波数に係る情報を含む周波数テーブルを作成するテーブル作成手段と、
作成した周波数テーブルを、受信したスキャン結果の送信元となる外部の放送受信装置へ送信する手段と
を備えることを特徴とする放送受信装置。
【請求項８】
外部の放送受信装置が複数の場合、外部の放送受信装置ごとに異なる時刻でスキャン指示を送信する手段を備える請求項７に記載の放送受信装置。
【請求項９】
前記スキャン結果を、スキャンを行った時刻と対応付けて受信するようにしてあり、
スキャンを行った時刻に基づき、一の時間帯に属するスキャン結果を判別する手段と、
一の時間帯に属するスキャン結果に対して重み付けを付加する手段と
を備え、
前記決定手段は、重み付けを付加したスキャン結果を含む複数のスキャン結果に基づき、受信すべき周波数を決定するようにしてある請求項７又は請求項８に記載の放送受信装置。
【請求項１０】
前記スキャン結果を、位置情報と対応付けて受信するようにしてあり、
複数のスキャン結果を受信した場合で、位置情報と対応付けスキャン結果及び位置情報と対応付けられていない位置情報を受信したとき、位置情報と対応付けられていないスキャン結果に対して重み付けを付加する手段を備え、
前記決定手段は、重み付けを付加したスキャン結果を含む複数のスキャン結果に基づき受信すべき周波数を決定するようにしてある請求項７乃至請求項９のいずれか１項に記載の放送受信装置。
【請求項１１】
前記決定手段は、同一のチャンネルに応じた周波数の中で、複数のスキャン結果に含まれる受信可能な周波数の多い順で受信すべき周波数を決定するようにしてある請求項７又は請求項８に記載の放送受信装置。
【発明の詳細な説明】
【技術分野】
【０００１】
本発明は、受信状況の変化の影響を受けにくい最適な周波数テーブルを作成できるようにした放送受信装置システム、周波数テーブル作成方法、及び放送受信装置に関する。
【背景技術】
【０００２】
従来、地上デジタル放送（地上デジタルテレビジョン放送）を受信するにあたり周波数テーブル（受信可能周波数テーブル）が用いられており、その中身は、地上デジタル放送の各チャンネル（service_id）に応じた周波数を規定したリスト（サービスリスト）になっている。このような周波数テーブルは、放送受信装置の最初の設置時に行われる初期スキャン（受信地点における全受信可能チャンネルのサーチ）のスキャン結果に基づき作成される。また、初期スキャンの後も、新規の開局、新中継局の設置、周波数リパッキング、一旦設置した放送受信装置の移設等に対応できるように、放送受信装置に再スキャン機能を具備させて、周波数テーブルを適宜変更（更新）できるようにしている（下記の非特許文献１参照）。
【０００３】
なお、地上デジタル放送におけるMFN（Multi-Frequency Network：多周波数ネットワーク。サービスエリアが重なる送信所に異なる周波数を割り当てるネットワーク）では、同一のnetwork_idで異なる物理チャンネルを受信できる地域があるが、その場合は、受信C/N（受信に係る雑音の電力比）又はBER（Bit Error Rate：ビット誤り率）の良好なチャンネルを周波数ネットワークに記憶すべきことが、下記の非特許文献１に記載されている。また、放送受信装置が移動・携帯式のものである場合は、電波の受信状態が頻繁に変わることが想定されるので、周波数テーブルを地域や受信状態等に応じて複数記憶させることも下記の非特許文献１に記載されている。
【０００４】
一方、下記の特許文献１では、スキャン時及び選局時において、選局できなかったチャンネルがある場合、そのチャンネルに係る伝送情報より選局できなかった原因を特定し、特定した原因に応じて、そのチャンネルを選局対象から除外する発明が開示されている。また、下記の特許文献２では、移動式の放送受信装置で、受信中の放送局に係る受信レベルが低下すると、現在位置を検出し、検出した位置情報に基づき、受信中の放送局と同系列の放送局を検索し、検索で該当した同系列の放送局の周波数に一旦切り換え、その後、切り換えた放送局に係る受信レベルが低下すると、再度、元の放送局の周波数に戻すという発明が開示されている。
【先行技術文献】
【特許文献】
【０００５】
【非特許文献１】社団法人  電波産業会  “地上デジタルテレビジョン放送運用規定”  技術資料  [online]、ＡＲＩＢ  ＴＲ−Ｂ１４  ４．７版（第一分冊）（１／２）、[平成２４年１月１８日検索]、インターネット＜URL: http://www.arib.or.jp/tyosakenkyu/kikaku_hoso/hoso_gijutsu_number.html＞
【特許文献１】特開２００５−５８９４号公報
【特許文献２】特開２００７−２１５１３８号公報
【発明の概要】
【発明が解決しようとする課題】
【０００６】
地上デジタル放送の受信状況は様々な原因により変化することがあり、変化の原因として、上述した新規の開局、新中継局の設置、周波数リパッキング等がある。また、これら以外にも、一時的に受信状況を変化させる原因として、新たなビル等の建設工事が開始されたこと、大規模な工事等が一時的に行われること、放送局又は中継局の機器故障により一時的に放送が停止されること、天候又は季節の影響による空気中の水分量の変化に伴い放送波の減衰量が一時的に変化することなども考えられる。さらに、これらの多様な原因が複合的に絡み合って受信状況を変化させることもある。
【０００７】
一方、一定の地域範囲、例えば、一つの建物内において、放送受信装置として複数のテレビジョン装置が設置されている場合、さらには、その周囲にも移動式又は携帯式の放送受信装置（例えば、テレビジョン機能を具備した情報端末装置）が存在する場合、これらの各放送受信装置がシングルチューナの場合、ユーザが視聴中はスキャンを行えないことから、異なるタイミングで個々にスキャン（チャンネルサーチ）が行われることになる。そのため、上述したように受信状況が変化すると（一時的に変化する場合も含む）、スキャンを行うタイミングによって、個々の放送受信装置におけるスキャン結果が異なり、スキャン結果に基づく周波数テーブルの内容もそれぞれの放送受信装置ごとに相異することになる。その結果、近くに位置する複数の放送受信装置間で、地上デジタル放送の受信に対して様々な問題が生じるようになる。
【０００８】
例えば、新規の開局があった状況を想定すると、既にスキャンを行った放送受信装置では、新規の開局に係る新たな放送周波数に同調できるが、スキャンを未だ行っていない放送受信装置では、新たな放送周波数の存在を認識できていないので、近くに位置する放送受信装置間で、新たな放送周波数に同調できる装置と、同調できない装置が生じるという問題がある。この場合、１人のユーザが、これらの放送受信装置を適宜、視聴できる状況であれば、ある放送受信装置では新たな放送周波数のテレビ番組を見ることができ、別の放送受信装置では新たな放送周波数のテレビ番組を見ることができないという事態になるので、新たな放送周波数のテレビ番組を見ることができない放送受信装置が故障したというような誤解をユーザに与えるおそれがある。
【０００９】
また、一時的に受信状況が変わり、通常であれば良好に受信できるチャンネルの放送波が一時的に停波されて受信できず、その替わりに、通常では受信しにくい離れた中継局からの放送波を、停波に伴うダウンフェージング又はアップフェージングにより偶発的に受信できた状況で放送受信装置がスキャンを行った場合を想定すると、この場合では、通常であれば良好に受信できる放送波を周波数テーブルに反映せずに、受信しにくい放送波を周波数テーブルに載せることになる。その結果、一時的に停波されていた受信状況が元に戻っても、この放送受信装置は、通常より離れた放送波に同調することになり、良好なテレビ放送の受信が妨げられるという問題が生じる。
【００１０】
本発明は、斯かる事情に鑑みてなされたものであり、通信可能に接続した複数の放送受信装置の中の一台をマスターの放送受信装置にすると共に、残りをスレーブの放送受信装置にして、それぞれの放送受信装置のスキャン結果をマスターの放送受信装置に集約し、その集約されたスキャン結果に基づき周波数テーブルを作成し、全ての放送受信装置で同一の周波数テーブルを保持するようにして、受信状況の変化による影響を低減して良好なテレビ放送の受信を確保できるようにした放送受信装置システム、周波数テーブル作成方法、及び放送受信装置を提供することを目的とする。
【課題を解決するための手段】
【００１１】
上記課題を解決するために本発明に係る放送受信装置システムは、周波数テーブルに基づきデジタル放送の受信を行う受信手段と、デジタル放送の各チャンネルに応じた周波数に順次同調してスキャンを行うスキャン手段とを有する放送受信装置を複数、通信可能に接続した放送受信装置システムにおいて、複数の放送受信装置の中の一の放送受信装置はマスターの放送受信装置にしてあると共に、残りの他の放送受信装置はスレーブの放送受信装置にしてあり、前記スレーブの放送受信装置は、スキャンにより判明した受信可能な周波数に係る情報を含むスキャン結果を、前記マスターの放送受信装置へ送信する手段を備え、前記マスターの放送受信装置は、前記スレーブの放送受信装置から送信されてくるスキャン結果、及び自身のスキャン結果に基づき、受信すべき周波数を決定する決定手段と、決定した受信すべき周波数に係る情報を含む周波数テーブルを作成するテーブル作成手段と、作成した周波数テーブルを前記スレーブの放送受信装置へ送信する手段とを備えることを特徴とする。
【００１２】
本発明に係る周波数テーブル作成方法は、周波数テーブルに基づきデジタル放送を受信すると共に、デジタル放送の各チャンネルに応じた周波数に順次同調してスキャンを行う放送受信装置を複数、通信可能に接続した放送受信装置システムで、周波数テーブルを作成する周波数テーブル作成方法において、複数の放送受信装置の中の一の放送受信装置はマスターの放送受信装置にしてあると共に、残りの他の放送受信装置はスレーブの放送受信装置にしてあり、前記スレーブの放送受信装置は、スキャンにより判明した受信可能な周波数に係る情報を含むスキャン結果を、前記マスターの放送受信装置へ送信するステップを備え、前記マスターの放送受信装置は、前記スレーブの放送受信装置から送信されてくるスキャン結果、及び自身のスキャン結果に基づき、受信すべき周波数を決定するステップと、決定した受信すべき周波数に係る情報を含む周波数テーブルを作成するステップと、作成した周波数テーブルを前記スレーブの放送受信装置へ送信するステップとを備ることを特徴とする。
【００１３】
本発明に係る放送受信装置は、周波数テーブルに基づきデジタル放送の受信を行う受信手段と、デジタル放送の各チャンネルに応じた周波数に順次同調してスキャンを行うスキャン手段と、外部の放送受信装置と通信する通信手段とを備える放送受信装置において、スキャンにより判明した受信可能な周波数に係る情報を含むスキャン結果を、外部の放送受信装置へ送信する手段と、スキャン結果の送信に応じて、スキャン結果の送信先となる外部の放送受信装置から周波数テーブルを受信する手段と、周波数テーブルを、受信した周波数テーブルに更新する更新手段とを備えることを特徴とする。
【００１４】
また、本発明に係る放送受信装置は、外部の放送受信装置から、スキャン指示を受信する手段を備え、前記スキャン指示を受信した場合、前記スキャン結果を送信するようにしてあることを特徴とする。
さらに、本発明に係る放送受信装置は、前記スキャン結果を、スキャンを行った時刻と対応付けて送信するようにしてあることを特徴とする。
さらにまた、本発明に係る放送受信装置は、位置情報を検出する位置情報検出手段を備え、前記スキャン結果を、前記位置情報検出手段が検出した位置情報と対応付けて送信するようにしてあることを特徴とする。
【００１５】
本発明に係る放送受信装置は、周波数テーブルに基づきデジタル放送の受信を行う受信手段と、デジタル放送の各チャンネルに応じた周波数に順次同調してスキャンを行うスキャン手段と、外部の放送受信装置と通信する通信手段とを備える放送受信装置において、外部の放送受信装置から送信されてくる受信可能な周波数に係る情報を含むスキャン結果を受信する手段と、受信したスキャン結果、及び自身のスキャン結果に基づき、受信すべき周波数を決定する決定手段と、決定した受信すべき周波数に係る情報を含む周波数テーブルを作成するテーブル作成手段と、作成した周波数テーブルを、受信したスキャン結果の送信元となる外部の放送受信装置へ送信する手段とを備えることを特徴とする。
【００１６】
また、本発明に係る放送受信装置は、外部の放送受信装置が複数の場合、外部の放送受信装置ごとに異なる時刻でスキャン指示を送信する手段を備えることを特徴とする。
さらに、本発明に係る放送受信装置は、前記スキャン結果を、スキャンを行った時刻と対応付けて受信するようにしてあり、スキャンを行った時刻に基づき、一の時間帯に属するスキャン結果を判別する手段と、一の時間帯に属するスキャン結果に対して重み付けを付加する手段とを備え、前記決定手段は、重み付けを付加したスキャン結果を含む複数のスキャン結果に基づき、受信すべき周波数を決定するようにしてあることを特徴とする。
【００１７】
さらにまた、本発明に係る放送受信装置は、前記スキャン結果を、位置情報と対応付けて受信するようにしてあり、複数のスキャン結果を受信した場合で、位置情報と対応付けスキャン結果及び位置情報と対応付けられていない位置情報を受信したとき、位置情報と対応付けられていないスキャン結果に対して重み付けを付加する手段を備え、前記決定手段は、重み付けを付加したスキャン結果を含む複数のスキャン結果に基づき受信すべき周波数を決定するようにしてあることを特徴とする。
また、本発明に係る放送受信装置は、前記決定手段が、同一のチャンネルに応じた周波数の中で、複数のスキャン結果に含まれる受信可能な周波数の多い順で受信すべき周波数を決定するようにしてあることを特徴とする。
【００１８】
本発明にあっては、スレーブの放送受信装置がスキャン結果をマスターの放送受信装置へ送信し、マスターの放送受信装置は受信したスキャン結果及び自身のスキャン結果を用いて、複数のスキャン結果から統計的に得られる内容に基づき、受信すべきチャンネルを決定して周波数テーブルを作成し、作成した周波数テーブルをスレーブの放送受信装置へ送信するので、受信に用いる周波数テーブルは、マスター及びスレーブの全放送受信装置で共通化される。
【００１９】
そのため、各放送受信装置における周波数テーブルが同じものになることから、新規の開局があった場合に、ある放送受信装置では、新規の開局に係る新たな放送周波数に同調できるが、別の放送受信装置では、その新たな放送周波数に同調できないという事態が生じることを防止できる。また、各放送受信装置におけるスキャンは、ユーザの視聴状況等に応じて個々に異なるタイミングで行われるので、作成される周波数テーブルも、異なる時間帯のスキャン結果が反映されて統計的に平均化されたものになることから、共通化される周波数テーブルの中身は、一時的な受信状況の変化の影響を受けにくいものになる。
【００２０】
また、本発明にあっては、一の放送受信装置（例えば、マスターの放送受信装置）が、他の放送受信装置（スレーブの放送受信装置）へスキャン指示を送信し、他の放送受信装置は、スキャン指示を受信することで、スキャンを行ってスキャン結果を一の放送受信装置へ送信する。そのため、他の放送受信装置はスキャン指示に基づきスキャンを行ってスキャン結果を送信する仕様にしておくと、一の放送受信装置で他の放送受信装置のスキャン時期を制御できるようになる。
【００２１】
したがって、一の放送受信装置は、他の放送受信装置ごとに異なる時間でスキャン指示を送信すれば、様々な時間におけるスキャン結果に基づき周波数テーブルを作成できるようになり、一時的な受信状況の変化による影響を一段と低減できるようになる。また、スキャン指示は、スキャン結果を送ってこないスレーブの放送受信装置へ、一の放送受信装置が催促として用いることも可能である。
【００２２】
本発明にあっては、他の放送受信装置は、スキャンを行った時刻をスキャン結果に対応付けて送信するので、一の放送受信装置は、受信したスキャン結果及び自身のスキャン結果を時間帯別に判別して、ある特定の時間帯に属するスキャン結果には重み付けを付加してから受信すべき周波数を決定することも可能となる。その結果、特定の時間帯を受信状況の変化が生じにくい時間帯とすれば、受信状況の変化による影響が出にくい最適な周波数テーブルを作成できるようになる。
【００２３】
また、本発明にあっては、他の放送受信装置の中の少なくとも一つが位置情報検出手段を備え、位置情報検出手段を備える放送受信装置は、検出した位置情報をスキャン結果に対応付けて送信すれば、一の放送受信装置は、受信したスキャン結果の中で位置情報を含むものがあれば、位置情報を含まないスキャン結果に重み付けを付加して受信すべきチャンネルを決定することが可能となる。それにより、位置情報を含まないスキャン結果を送信する固定式（設置式）の放送受信装置のスキャン結果に重きをおいて、受信すべき周波数を決定できるようになる。
【００２４】
すなわち、固定式の放送受信装置は一般に位置情報検出手段を備えず、移動・携帯式の放送受信装置が位置情報検出手段を通常備えることから、上記のように位置情報を含まないスキャン結果に重み付けを付加すれば、固定式の放送受信装置のスキャン結果が重視されることになる。そして、移動・携帯式の放送受信装置は、移動に伴い受信状況が頻繁に変化することから、固定式の放送受信装置の方が受信状況が安定する傾向があるので、複数のスキャン結果の中で固定式の放送受信装置のスキャン結果が重視されると、移動に伴う頻繁な受信状況の影響を低減して、受信すべき周波数を決定でき、それにより最適な周波数テーブルを作成できるようになる。
【００２５】
さらにまた、本発明にあっては、スキャン結果に含まれる同一のチャンネルに応じた中で、受信可能な周波数の多い順で、受信すべき周波数を決定するので、いわゆる多数決で受信すべき周波数が決定されることとなり、それに伴い、統計的に多数決順で得られる結果に基づき簡易な処理アルゴリズムで周波数テーブルを作成できるようになる。
【発明の効果】
【００２６】
本発明にあっては、マスターの放送受信装置（一の放送受信装置）及びスレーブの放送受信装置（他の放送受信装置）のスキャン結果により作成された同一の周波数テーブルを、各装置がそれぞれ有することになるので、各装置が位置する地域範囲において、受信状況の変化の影響を低減した最適な周波数テーブルを作成でき、受信できるチャンネルが各装置間で異なるという事態の発生も防止できる。
【００２７】
また、本発明にあっては、一の放送受信装置（マスターの放送受信装置）が送信するスキャン指示に応じて、他の放送受信装置（スレーブの放送受信装置）がスキャン結果を送信するので、複数のスキャン指示に基づき周波数テーブルを遅滞なく作成できる。
【００２８】
さらに、本発明にあっては、異なる時刻で各放送受信装置がスキャンを行って、そのようなスキャン結果に基づき周波数テーブルを作成するので、受信状況の変化が生じやすい時間帯の影響を避けて最適な周波数テーブルを作成できる。
【００２９】
さらにまた、本発明にあっては、スキャンを行った時刻をスキャン結果に対応付けると共に、各スキャン結果を時間帯別に判別し、特定の時間帯に属するスキャン結果に重み付けを付加して周波数テーブルを作成するので、特定の時間帯でのスキャン結果を重視した内容の周波数テーブルを作成でき、受信状況の変化が生じにくい時間帯を特定の時間帯とすれば、安定した内容の周波数テーブルの作成に貢献できる。
【００３０】
また、本発明にあっては、スキャン結果の中で位置情報を対応付けたものがあれば、位置情報が対応付けされていないスキャン結果に重み付けを付加して受信すべきチャンネルを決定するので、基本的に受信状況の変化の影響が出にくい固定式の放送受信装置のスキャン結果に重きをおいて、受信すべき周波数を決定でき、それにより、受信状況の変化の影響が出にくい周波数テーブルを作成できる。
【００３１】
さらにまた、本発明にあっては、スキャン結果に含まれる受信可能な周波数の多い順で、受信すべき周波数を決定するので、多数決的に受信すべき周波数を決定して最適な周波数テーブルを作成できる。
【図面の簡単な説明】
【００３２】
【図１】本発明の実施形態に係る放送受信装置システムの全体的な構成を示す概略図である。
【図２】固定式の放送受信装置の内部構成を示すブロック図である。
【図３】（ａ）は第１メニュー画像を示す概略図であり、（ｂ）はＯＳＤ画像の一例である同期中提示画像を示す概略図である。
【図４】（ａ）は周波数テーブルの例を示す図表であり、（ｂ）は複数のスキャン結果に基づき周波数テーブルが作成される流れを示す概念図である。
【図５】（ａ）は固定式の放送受信装置によるスキャン結果の例を示す図表であり、（ｂ）は移動・携帯式の放送受信装置によるスキャン結果の例を示す図表である。
【図６】周波数変更通知画面を示す概略図である。
【図７】移動・携帯式の放送受信装置の内部構成を示すブロック図である。
【図８】周波数テーブル作成方法に係るマスター及びスレーブの放送受信装置における処理手順を示すフローチャートである。
【図９】変形例の周波数テーブル作成方法に係る処理手順の一部を示すフローチャートである。
【発明を実施するための形態】
【実施例１】
【００３３】
図１は、本発明の実施形態に係る放送受信装置システム１の全体の構成を示す概略図である。本実施形態の放送受信装置システム１は、建物内に設置される計３台の固定式の放送受信装置１０、２０、３０、及び計２台の移動・携帯式の放送受信装置４０、５０を通信可能に接続した構成にしている。これら計５台の放送受信装置１０、２０、３０、４０、５０はテレビジョン装置として機能するものであり、地上デジタル放送の放送信号を受信して各チャンネルの番組を表示可能にしている。本実施形態では、後述するユーザの設定により、これら計５台の放送受信装置１０、２０、３０、４０、５０の中で、建物内に設置された１台の放送受信装置１０をマスターの放送受信装置（一の放送受信装置）にすると共に、残りの放送受信装置２０、３０、４０、５０をスレーブの放送受信装置（他の放送受信装置）にしている。
【００３４】
建物内に設置される放送受信装置１０、２０、３０は、建物に設けられたアンテナを共用しており、アンテナから延出するアンテナケーブルを各放送受信装置１０、２０、３０に繋げている。また、これらの放送受信装置１０、２０、３０を周知の通信規格（例えば、IEEE等によるＬＡＮ規格、又はDLNA等による規格等）に基づく通信ケーブルで相互に接続して、放送受信装置１０、２０、３０同士で通信を行えるようにしている（なお、図１は、通信ケーブルによる接続に関して、ルーター又はDLNAのサーバ等の図示を省略している）。また有線の通信以外にも、周知の無線通信規格（例えば、IEEE等による無線ＬＡＮ規格、又はBluetooth（登録商標）等）に応じた無線通信によって、各放送受信装置１０〜３０を接続することも可能である。
【００３５】
また、移動・携帯式の放送受信装置４０、５０は、いわゆるスマートフォンと称される電話機能に加えて各種アプリケーションソフトをインストールすることで多様な機能を具備できるようにした情報端末装置であり、地上デジタル放送の受信に必要なチューナ部、復調部、デコード部等を内蔵している。なお、移動・携帯式の放送受信装置４０、５０は、周知の無線通信規格（例えば、IEEE等による無線ＬＡＮ規格、又はBluetooth（登録商標）等）又は周知の赤外線規格（IrDA系の規格。例えばIrSS等）で、固定式の放送受信装置１０、２０、３０と無線により通信接続できるようにしている。
【００３６】
図２は、マスターの放送受信装置１０の主要な内部構成を示すブロック図である。マスターの放送受信装置１０は、スレーブとなる他の固定式の放送受信装置２０、３０と構成的には同等であるため、マスターの放送受信装置１０で代表して、これらの固定式の放送受信装置１０、２０、３０の内部構成を説明する。
【００３７】
放送受信装置１０は、前処理部１１、デコード部１２、赤外線処理部１３、制御部１４、第１メモリ１５ａ、第２メモリ１５ｂ、通信部１６ａ、無線通信部１６ｂ、表示出力処理部１７、及び音声出力処理部１８等を内部接続線１０ａで接続した構成になっている。また、上述した各部１１等は、内部接続線１０ａを通じて制御部１４と信号の送受を行っており、各部１１等は現在の処理状況等を示す信号を制御部１４へ伝えると共に、制御部１４は各部１１等から伝えられた処理状況等により現在の処理状況を把握し、把握した状況に応じて次に行う処理を制御するための制御信号を各部１１等へ送っている。以下、放送受信装置１０の各部１１等について、詳細を説明する。
【００３８】
まず、前処理部１１は、地上デジタル放送の受信手段に相当し、アンテナで取得されアンテナケーブルで運ばれるＲＦ信号（放送信号）が入力されており、チューナ部１１ａ、Ａ／Ｄ変換部１１ｂ、直交検波部１１ｃ、ＦＦＴ部１１ｄ、復調部１１ｅを含む。前処理部１１のチューナ部１１ａは、アンテナケーブルよりＲＦ信号が入力されるようになっており、このＲＦ信号を制御部１４の制御に従い、所定の周波数に基づいた周波数変換することでＩＦ信号にして、Ａ／Ｄ変換部１１ｂへ伝送する。Ａ／Ｄ変換部１１ｂは、伝送されてきたＩＦ信号をアナログからデジタルの信号に変換し、直交検波部１１ｃへ伝送する。直交検波部１１ｃは、伝送されてきたデジタルの信号をベースバンド信号に変換し、ＦＦＴ部１１ｄへ伝送する。ＦＦＴ部１１ｄは、伝送されてきた信号にフーリエ変換を行い、復調部１１ｅへ伝送する。復調部１１ｅは、伝送されてきた信号に等化処理及び誤り訂正処理を施し、トランスポートストリーム（ＴＳ）に変換し、次の処理を行うデコード部１２へ伝送する。
【００３９】
デコード部１２は、前処理部１１で復調されたトランスポートストリームに対して、デコード処理を行い、映像、音声、その他データに分離する。さらにデコード部１２は、分離した映像ストリームに対して映像デコード処理を行って表示出力処理部１７へ出力すると共に、分離した音声ストリームに対しては音声デコード処理を行って音声出力処理部１８へ出力する。
【００４０】
表示出力処理部１７は、所定の映像表示に必要な処理を行って映像信号を生成し、生成した映像信号を表示パネル１０ｂへ出力することにより、表示パネル１０ｂには、所定の周波数に係るチャンネルに応じた放送番組の映像が表示される。また、音声出力処理部１８は、増幅等の音声出力に必要な所定の処理を行って音声信号を生成し、生成した音声信号をスピーカー１０ｃへ出力することにより、スピーカー１０ｃからは、所定の周波数に係るチャンネルに応じた放送番組の音声が出力される。
【００４１】
一方、インタフェース系に関する部分として、赤外線処理部１３は、周知の赤外線規格（例えば、IrDA系の各規格）に応じた通信処理（信号・データの送受処理）を行うものであり、基本的には、ユーザからの操作を受け付けるリモコン装置１０ｄから発せられる操作信号を含む赤外線を受光して、制御部１４へ伝える処理を行う。なお、赤外線処理部１３は通信手段としても機能し、赤外線通信機能を具備した情報端末装置とも通信可能であり、情報端末装置から送られてくる信号・データを受信すると共に、これらの情報端末装置へ制御部１４の制御指示に基づき信号・データ等の送信も可能にしている。
【００４２】
制御部１４は、放送受信装置１０が具備する各種機能を実行する際に中心的な役割を担うものであり、第１メモリ１５ａに記憶されたプログラムＰに規定される様々な処理内容に基づき、各種手段として機能するものであり、詳細は後述する。
【００４３】
また、放送受信装置１０は、メモリ（記憶媒体）として第１メモリ１５ａ及び第２メモリ１５ｂを具備しており、第１メモリ１５ａは基本的に製造段階（出荷段階）で準備すべきもの（プログラム、メニュー用の画像、ＯＳＤ用の画像、装置の識別情報等）を記憶し、一方、第２メモリ１５ｂはユーザが使用を開始してから生じるデータ等、例えば、放送経由で取得された各種データ、テーブル（ＰＡＴ、ＰＭＴ等）等、及びユーザの使用に伴い作成された各種データ・テーブル等を記憶（保存）するのに用いられており、記憶されるテーブルの例としては周波数テーブルＴがある。なお、この周波数テーブルＴは、受信すべきチャンネルに応じた周波数の情報等が含まれているので、前処理部１１で所望のチャンネルを受信する際、周波数テーブルＴに含まれる周波数に基づき、所望のチャンネルの周波数に同調する処理が行われる。
【００４４】
第１メモリ１５ａに記憶されるプログラムＰは、ファームウェア及びシステムプログラム等に相当するものであり、放送受信装置１０がテレビジョン装置として機能（既存の機能）するために必要な制御部１４用の各種処理を規定すると共に、本発明に関する新たな各種処理も規定している。既存の機能を実現するための各種処理に関するもの例としては、所定の周波数に同調して放送番組を受信する処理、放送番組に関する映像表示・音声出力に関する処理、スキャン（チャンネルサーチ）に関する処理等がある。また、本発明に関する新たな各種処理は、制御部１４の詳細とあわせて後述する。
【００４５】
また、第１メモリ１５ａに記憶される画像テーブルＧには、各種メニュー用の画像及びＯＳＤ用の画像等が多数格納されている。図３（ａ）は、画像テーブルＧに格納されている複数のメニュー画像の一例である第１メニュー画像２を示している。第１メニュー画像２は、「（１）接続認識」、「（２）マスター／スレーブ設定」、「（３）スキャン（チャンネルサーチ）」、「（４）スキャン結果同期」、及び「（５）装置レポート」等の複数の項目を選択可能に含むものであり、これらの各項目はカーソル２ａを、リモコン装置１０ｄに設けられた上下キーをユーザが操作することで選択の対象となり、リモコン装置１０ｄに設けられた決定キーをユーザが操作すると、カーソル２ａが位置する項目を選択したことが決定される。それにより、制御部１４は、決定された項目に応じた処理を開始することになる。
【００４６】
図３（ｂ）は、画像テーブルＧに格納されている複数のＯＳＤ画像の一例である同期中提示画像３を示している。この同期中提示画像３は、例えば、上述した図３（ａ）の第１メニュー画像２において「（４）スキャン結果同期」が選択されて、各放送受信装置１０〜５０間でスキャン結果の同期処理が開始されると、その処理中に第１メモリ１５ａから読み出されて表示パネル１０ｂに表示されるものであり、このような同期中提示画像３が表示されることで、ユーザはスキャン結果の同期処理中であることを把握できる。
【００４７】
また、図４（ａ）は、第２メモリ１５ｂに記憶される周波数テーブルＴの中身の概要を示している。この周波数テーブルＴは、本発明の特徴的な処理により作成されるものであり、マスターの放送受信装置１０で作成されてからスレーブの放送受信装置２０〜５０へ送信されることで、放送受信装置システム１の全ての放送受信装置１０〜５０で保持されるものとなる。図４（ｂ）に示すように、周波数テーブルＴは、マスターの放送受信装置１０のスキャン結果ｔ１、及びスレーブの放送受信装置２０〜５０の各スキャン結果ｔ２〜ｔ５に基づき作成される。
【００４８】
周波数テーブルＴは、service_id（各サービスに割り当てられる識別値。全国の地上デジタルテレビジョン放送においてユニークな値）ごとに、チャンネル（ｃｈ）、周波数、事業者名（放送者名）等が適宜、対応付けられた表になっており、放送受信装置１０は、この周波数テーブルＴを用いて、リモコン装置１０ｄに設けられるワンタッチボタン（１〜１２の数字ボタン）に各チャンネルに所定の周波数を割り当てるプリセットを行い、ユーザの所望の放送局をワンタッチで前処理部１１により受信できるようにしている。
【００４９】
また、第２メモリ１５ｂは、周波数テーブルＴ以外にも、スキャン処理を行うと、そのスキャン処理の結果であるスキャン結果ｔ１を、制御部１４の制御指示に基づき次のスキャン処理を行うまで記憶するようになっている。
【００５０】
図５（ａ）は、スキャン結果ｔ１の中身の概要を示す図表である。スキャン結果ｔ１は、スキャンしたservice_idに応じた周波数ごとの受信状態情報等を含んでおり、含まれている周波数は、受信可能な周波数として判断されたものである。受信状態情報の中身は、受信強度（０〜２５５の数値）等を示す情報になっている。また、本実施形態のスキャン結果ｔ１には、放送受信装置１０の識別情報及びスキャンを開始した日時（時刻）の情報も、周波数等の情報と対応付けて含まれるようになっている。なお、図５（ｂ）は移動・携帯式の放送受信装置４０によるスキャン結果ｔ４を示しており、このスキャン結果ｔ４は、図５（ａ）に示すスキャン結果ｔ１の中身となる周波数等の情報に対応付けてスキャンを行った場所に係る位置情報（緯度・経度）が含まれるものになっている。この位置情報は、後述するように位置検出部４９で検出されるものである。
【００５１】
図２に戻り、放送受信装置１０の内部構成に関する説明を続ける。通信部１６ａは通信手段に相当し、周知の通信規格（例えば、IEEE等によるＬＡＮ規格、又はDLNA等による規格等）に基づく無線通信の処理を制御部１４の制御に従って行うものであり、通信ケーブルを接続できるようにしている。また、無線通信部１６ｂも通信手段に相当し、周知の無線通信規格（例えば、IEEE等による無線ＬＡＮ規格、又はBluetooth（登録商標）等）に無線通信の処理を制御部１４の制御に従って行うものであり、移動・携帯式の情報端末装置等のように、無線を主にして通信を行う装置等に接続できるようにしている。
【００５２】
次に、制御部１４が行う本発明に関する各種制御処理内容について説明していく。まず、制御部１４は、システムを構築するために、放送受信装置１０が通信により接続できる他の装置を認識する処理（接続認識処理）を行う。この処理は、例えば、図３（ａ）に示す第１メニュー画像２において「（１）接続認識」の項目がユーザにより選択された場合に開始されるようになっている。接続認識処理が開始されると、制御部１４は、接続確認の信号（接続確認信号）を通信部１６ａを通じて、送信する制御を行う。
【００５３】
なお、上述した接続確認信号を受信することになる他の放送受信装置２０〜５０では、接続確認信号を受信すると、自己の識別情報と共に接続できる旨を含む信号（接続可能信号）を、接続確認信号の送信元の放送受信装置１０へ返信する制御を行うことになる。
【００５４】
放送受信装置１０が接続確認信号の送信元となっていた場合、接続確認信号の送信後、所定の時間内に接続可能信号を受信できたか否かを制御部１４は判断し、接続可能信号を受信すると、その接続可能信号を返信してきた放送受信装置を、システムに含まれる装置として認識すると共に、その認識した装置構成を他のシステムに含まれる装置へ伝える処理も行う。
【００５５】
また、制御部１４は、マスター／スレーブの設定に関する処理も行う。本実施形態において、この処理は基本的にユーザの手動設定に基づき行われるようにしており、図３（ａ）に示す第１メニュー画像２において「マスター／スレーブ設定」の項目がユーザにより選択され、その後に開くメニュー画像（図示せず）で、マスター決定がユーザにより選択されると、放送受信装置１０をマスターに設定するフラグが第２メモリ１５ｂに記憶されるように制御部１４は処理を行う。その後、制御部１４は、システムに含まれる他の放送受信装置２０〜５０へ、スレーブの設定を行う旨の指示信号（スレーブ設定信号）を送信することになる。そして、このスレーブ設定信号を受信した他の放送受信装置２０〜５０は、自身をスレーブに設定する処理を行う（スレーブに設定するフラグを記憶する処理を行う）。
【００５６】
さらに、制御部１４は、マスターに設定された場合、システムに含まれる放送受信装置の数（図１では、計５台）を認識して、それぞれの放送受信装置にスキャンを行わせる時刻のスケジュール（スキャンスケジュール）を作成し、そのスケジュールで特定される各時刻にスキャン指示を放送受信装置へ送信する制御を行う。具体的なスキャンスケジュールの例としては、まず、１日における０時３０分に自己（放送受信装置１０）でスキャンを行い、３時００分に固定式の放送受信装置２０でスキャンを行うようにし、６時００分に移動・携帯式の放送受信装置４０でスキャンを行うようにし、９時００分に固定式の放送受信装置３０でスキャンを行うようにし、１２時００分に移動・携帯式の放送受信装置５０でスキャンを行うようにスキャンスケジュールを立てて、このスケジュールに従ってスキャン指示を送信することになる。このようなスキャンスケジュールの内容も第２メモリ１５ｂに記憶されることになる。
【００５７】
なお、スキャン指示を受信することになるスレーブの放送受信装置２０〜５０では、スキャン指示の受信に伴いスキャンを開始し、スキャンが終了するとスキャン結果ｔ２〜ｔ５を作成して、マスターの放送受信装置１０へ送信する。この場合、スレーブの放送受信装置２０〜５０の各制御部がスキャン結果を送信する手段として機能する。また、スキャンの開始は上述した場合以外にも、図３（ａ）の第１メニュー画像２の「スキャン（チャンネルサーチ）」の項目がユーザにより選択された場合にも行われる（手動スキャン）。
【００５８】
スキャン自体の処理内容は、地上デジタル放送の各チャンネル（例えば１３ｃｈ〜６２ｃｈ）をサーチして、これらの各チャンネルに応じた周波数に順次同調してスキャンするものである。スキャンの際、制御部１４はスキャン手段として機能し、同調した周波数の受信強度等を参照しながら周波数ごとに受信できたか否かを判別し、判別した受信可能な周波数に係る情報を含むようにスキャン結果を作成することになる。
【００５９】
また、制御部１４はテーブル作成手段として、全てのスキャン結果ｔ１〜ｔ５が揃うと、上述したように、これらのスキャン結果ｔ１〜ｔ５に基づき統計的な処理を行って周波数テーブルＴを作成する。この処理の具体的な内容として、制御部１４はポイント（点数）により受信すべきチャンネル（この処理では、service_idが相当）を特定するようにしており、まず、スキャン結果ｔ１〜ｔ５に含まれる同調（受信）できた各周波数のそれぞれに１ポイントを付与する。
【００６０】
それから、制御部１４は重み付け付加に係る処理を行い、スキャン結果ｔ１〜ｔ５に対応づけられた時刻に基づき夜間でない時間帯（一の時間帯）に属するスキャン結果を判別し、夜間でない時間帯に属するスキャン結果に重み付け付加として、先に付与した１ポイントを１．５倍する処理を行う。本実施形態では、夜間の時間帯を０時〜４時５９分、及び１８時〜２４時の範囲とし、夜間でない時間帯を５時〜１７時５９分の範囲にしている。なお、これらの時間帯は一例であり、夜間の時間帯及び夜間でない時間帯の時刻範囲は、状況に応じて適宜設定可能である。
【００６１】
上述したスキャンスケジュールでは、０時３０分にスキャンを行うマスターの放送受信装置１０のスキャン結果ｔ１、３時００分にスキャンを行うスレーブの放送受信装置２０のスキャン結果ｔ２が夜間の時間帯に属するため、それ以外のスキャン結果ｔ３〜ｔ５に付与された各ポイントが１．５倍されることになる。なお、このような時間帯による重み付けを行うのは、一般に、夜間の時間帯は、その他の時間帯に比べて工事等が行われて受信状況が悪化することが多いためである。なお、このような時間帯による重み付けを行う場合は、各スキャン結果ｔ１〜ｔ５に含まれるスキャン日時の時刻を参照して、制御部１４は重み付けを行う対象を判別するようにしている。
【００６２】
さらに、制御部１４は、更なる重み付け付加として、固定式の放送受信装置１０〜３０によるスキャン結果ｔ１〜ｔ３に係るポイントを１．５倍する処理を行う。このような重み付けは、スキャン結果ｔ１〜ｔ５の中に位置情報が対応づけられているか否かを制御部１４が判別してから、位置情報が含まれないスキャン結果ｔ１〜ｔ３に重み付けを行うことになる。
【００６３】
上述したポイントに係る処理を、具体例をあげて説明する。一つの例として、スキャン結果ｔ１にはservice_id 01に対して同調（受信）できた周波数として「ｘｘｘ．０１」が記載されていたとする。以下、スキャン結果ｔ２におけるservice_id 01の周波数には「ｘｘｘ．５５」が記載され、スキャン結果ｔ３におけるservice_id 01の周波数には「ｘｘｘ．５５」が記載され、スキャン結果ｔ４におけるservice_id 01の周波数には「ｘｘｘ．５５」が記載され、スキャン結果ｔ５におけるservice_id 01の周波数には「ｘｘｘ．０１」が記載されていたとする。
【００６４】
最初に、各周波数には１ポイントが付与されることから、『スキャン結果ｔ１のservice_id 01の周波数「ｘｘｘ．０１」』＝「１（ポイントの意味。以下同様）」、『スキャン結果ｔ２のservice_id 01の周波数「ｘｘｘ．５５」』＝「１」、『スキャン結果ｔ３のservice_id 01の周波数「ｘｘｘ．５５」』＝「１」、『スキャン結果ｔ４のservice_id 01の周波数「ｘｘｘ．５５」』＝「１」、『スキャン結果ｔ５のservice_id 01の周波数「ｘｘｘ．０１」』＝「１」となる。
【００６５】
次に、時間帯に係る重み付けにより、『スキャン結果ｔ３のservice_id 01の周波数「ｘｘｘ．５５」』＝「１．５」、『スキャン結果ｔ４のservice_id 01の周波数「ｘｘｘ．５５」』＝「１．５」、『スキャン結果ｔ５のservice_id 01の周波数「ｘｘｘ．０１」』＝「１．５」となり、スキャン結果ｔ１、ｔ２のservice_id 01に係るポイントは「１」のままである。
【００６６】
それから、位置情報を含まないことに関する重み付けにより、『スキャン結果ｔ１のservice_id 01の周波数「ｘｘｘ．０１」』＝「１．５」、『スキャン結果ｔ２のservice_id 01の周波数「ｘｘｘ．５５」』＝「１．５」、『スキャン結果ｔ３のservice_id 01の周波数「ｘｘｘ．５５」』＝「２．２５」となる。なお、『スキャン結果ｔ４のservice_id 01の周波数「ｘｘｘ．５５」』＝「１．５」、『スキャン結果ｔ５のservice_id 01の周波数「ｘｘｘ．０１」』＝「１．５」である。
【００６７】
そして、制御部１４は、上記のように重み付けの付加をしてから、周波数別にポイントの和を求めることになり、上記の例では、周波数「ｘｘｘ．０１」＝「１，５（スキャン結果ｔ１のポイント）」＋「１．５（スキャン結果ｔ５のポイント）」＝「３．０」となり、周波数「ｘｘｘ．５５」＝「１．５（スキャン結果ｔ２のポイント）」＋「２．２５（スキャン結果ｔ３のポイント）」＋「１．５（スキャン結果ｔ４のポイント）」＝「５．２５」となる和を求める。
【００６８】
最後に、制御部１４は、ポイント比較を行い、上記の場合では、周波数「ｘｘｘ．５５」の方が、周波数「ｘｘｘ．０１」に比べてポイントが高いことから（５．２５＞３．０）、制御部１４は決定手段として、service_id 01（一つチャンネルに相当）に対して受信すべき周波数を、「ｘｘｘ．５５」に決定する処理を行う。
【００６９】
また、上記とは別の日によるスキャン結果として、スキャン結果ｔ１におけるservice_id 01の周波数には「ｘｘｘ．０１」が記載され、スキャン結果ｔ２におけるservice_id 01の周波数には「ｘｘｘ．０１」が記載され、スキャン結果ｔ３におけるservice_id 01の周波数には「ｘｘｘ．５５」が記載され、スキャン結果ｔ４におけるservice_id 01の周波数には「ｘｘｘ．５５」が記載され、スキャン結果ｔ５におけるservice_id 01の周波数には「ｘｘｘ．０１」が記載されていたとする。
【００７０】
この日の場合、最初に各１ポイントが付与されると共に、時間帯による重み付けにより、『スキャン結果ｔ１のservice_id 01の周波数「ｘｘｘ．０１」』＝「１」、『スキャン結果ｔ２のservice_id 01の周波数「ｘｘｘ．０１」』＝「１」、『スキャン結果ｔ３のservice_id 01の周波数「ｘｘｘ．５５」』＝「１．５」、『スキャン結果ｔ４のservice_id 01の周波数「ｘｘｘ．５５」』＝「１．５」、『スキャン結果ｔ５のservice_id 01の周波数「ｘｘｘ．０１」』＝「１．５」となる。
【００７１】
それから、位置情報を含まないことに関する重み付けにより、『スキャン結果ｔ１のservice_id 01の周波数「ｘｘｘ．０１」』＝「１．５」、『スキャン結果ｔ２のservice_id 01の周波数「ｘｘｘ．０１」』＝「１．５」、『スキャン結果ｔ３のservice_id 01の周波数「ｘｘｘ．５５」』＝「２．２５」、となり、重み付けのないものとして『スキャン結果ｔ４のservice_id 01の周波数「ｘｘｘ．５５」』＝「１．５」、『スキャン結果ｔ５のservice_id 01の周波数「ｘｘｘ．０１」』＝「１．５」となる。
【００７２】
そして、制御部１４は、周波数別のポイントの和として、周波数「ｘｘｘ．０１」＝「１，５（スキャン結果ｔ１のポイント）」＋「１．５（スキャン結果ｔ２のポイント）」＋「１．５（スキャン結果ｔ５のポイント）」＝「４．５」を得ると共に、周波数「ｘｘｘ．５５」＝「２．２５（スキャン結果ｔ３のポイント）」＋「１．５（スキャン結果ｔ４のポイント）」＝「３．７５」を得る。この場合、周波数「ｘｘｘ．０１」の方が、周波数「ｘｘｘ．５５」に比べてポイントが高いことから（４．５＞３．７５）、制御部１４は決定手段として、service_id 01（一つチャンネルに相当）に対して受信すべき周波数を、「ｘｘｘ．０１」に決定する処理を行う。なお、重み付けに係る倍数の「１．５」は一例であり、状況に応じて異なる倍数を用いることは勿論可能である。
【００７３】
制御部１４は、上述した周波数の決定を、スキャン対象の全てservice_idに対して行うことにより、各チャンネル（service_id）に応じた受信すべき（同調すべき）周波数を決定し、この決定した内容の情報を含む周波数テーブルＴを作成することになる。そして、制御部１４は、決定した周波数テーブルＴと、第２メモリ１５ｂに記憶されている前回のスキャンによる周波数テーブルと中身を比較し、中身が異なっていると、以前の周波数テーブルを新たな周波数テーブルＴに置き換えるという更新処理を行う（以前の周波数テーブルを削除して、新たな周波数テーブルＴを記憶する処理を行う）。
【００７４】
また、制御部１４は、新たな周波数テーブルＴに更新した場合、周波数テーブルを送信する手段として、この周波数テーブルＴをスレーブの放送受信装置２０〜５０へ送信する処理を行い、スレーブの放送受信装置２０〜５０では、周波数テーブルＴを受信すると、以前の周波数テーブルを新たな周波数テーブルＴに置き換えて更新する（この場合、スレーブの放送受信装置２０〜５０の制御部が、周波数テーブルＴを受信する手段、及び周波数テーブルＴの更新手段として機能する）。このこのような処理により、各放送受信装置１０〜５０は共通の周波数テーブルＴを、それぞれ保持することになり、これらの共通の周波数テーブルＴは同等の受信特性を有するので、受信できる放送局等に相異が生じなくなる。
【００７５】
このように周波数テーブルを更新した場合、制御部１４は、図６に示すような周波数変更通知画面４の表示処理を行って、ユーザに周波数の変更があった旨を提示するようにしている。なお、この周波数変更通知画面４は、図３（ａ）の第１メニュー画面２における「（５）装置レポート」の項目がユーザにより選択されたときにも、表示されるようになっている。
【００７６】
上述した制御部１４が行う各種処理（制御処理）の内容が、図２の第１メモリ１５ａに記憶されるプログラムＰで規定されている。また、スレーブの固定式の放送受信装置２０、３０は本発明に関する部分において、上述したマスターの放送受信装置１０と同等の構成になっており、マスターの放送受信装置１０からの制御により、スレーブとして機能することになる。さらに、スレーブの移動・携帯式の放送受信装置４０、５０も、基本的に
は、上述したマスターの放送受信装置１０と同等の構成であるが、相異点としては、位置検出部を備えることが挙げられる。
【００７７】
図７は、移動・携帯式の放送受信装置４０の主要な内部構成を示しており、大部分は図２に示す固定式の放送受信装置１０と同等であり（同等となる部分には、図２の１０番台の符号に対して４０番台の符号を付している）、位置検出部４９を設けた点が異なっている。位置検出部４９は位置情報検出手段として機能し、ＧＰＳ（Global Positioning System）に関する処理を行うものであり、ＧＰＳ用の人工衛星からの信号を受信して、現在の位置情報（緯度経度情報）を取得できるようにしている。そのため、放送受信装置４０の第１メモリ１５ａに記憶されるプログラムＰ′は、位置検出部４９による位置検出処理に関する処理内容を含むものになっており、制御部４４は、スキャン処理に伴い位置検出処理も行って、スキャン結果ｔ４に位置情報を含ませるようにしている（図５（ｂ）参照）。なお、取得された位置情報は、第２メモリ１５ｂに適宜記憶されることになる。このような内容は、もう一つの移動・携帯式の放送受信装置５０でも同様である。
【００７８】
図８に示すフローチャートは、上述した内容を整理して周波数テーブル作成方法としてマスターの放送受信装置１０及びスレーブの放送受信装置２０〜５０の各処理手順を示したものである。以下、このフローチャートに基づき、放送受信システム１における周波数テーブルＴの作成の流れを説明する。このフローチャートは、システムに含まれる装置認識の処理、マスター／スレーブの設定処理、及び前回のスキャンの処理等が完了した状態になっているものとし、各放送受信装置１０〜５０には前回のスキャンによる周波数テーブルが格納されているものとする。また、このフローチャートは、上述した例のスキャンスケジュールに従ってマスターの放送受信装置１０がスキャン指示を出すものとし、マスターの放送受信装置１０自身によるスキャンは既に完了しているものとする。
【００７９】
まず、マスターの放送受信装置１０は、開始条件が成立したか否かを判断する（Ｓ１）。このフローチャートの場合、開始条件としては現在の時刻がスキャンスケジュールの時刻（３時００分、６時００分、９時００分、１２時００分）であるかを、マスターの放送受信装置１０の制御部１４が、内蔵するクロック機能で計時される時刻との対比で判断する。開始条件が成立しない場合、すなわち、現在の時刻がスキャンスケジュールのいずれかの時刻に到達していない場合（Ｓ１：ＮＯ）、条件成立待ちの状態となる。
【００８０】
また、開始条件が成立した場合、すなわち、現在の時刻がスキャンスケジュールのいずれかの時刻に到達した場合（Ｓ１：ＹＥＳ）、次に、マスターの放送受信装置１０の制御部１４は、全てのスレーブの放送受信装置２０〜５０のスキャン結果を受信しているか否かを判断する（Ｓ２）。全てのスキャン結果を受信していない場合（Ｓ２：ＮＯ）、マスターの放送受信装置１０は、制御部１４の制御に基づき、Ｓ１の段階でスキャンスケジュールの中で一致した時刻に対応するスレーブの放送受信装置（例えば、現在の時刻が３時００分であれば放送受信装置２０）へスキャン指示を送信する（Ｓ３）。なお、スキャン指示の送信後は、再度、Ｓ１の段階へ戻り、マスターの舗装受信装置１０は次の開始条件の成立を待つことになる。
【００８１】
一方、スレーブの放送受信装置（例えば、３時００分にスキャン指示を受ける放送受信装置２０）は、スレーブでの開始条件が成立したか否かを判断する（Ｓ１０）。この場合、、開始条件の成立は、スキャン指示を受信したこと、及びチューナ部が使用されていないこと（放送番組を視聴中でないこと）の二つを満たす必要がある。開始条件が成立していない場合、例えば、現在の時刻が３時００分以前の場合又はユーザが視聴中の場合（Ｓ１０：ＮＯ）、開始条件の成立待ちの状態となる。また、開始条件が成立した場合（Ｓ１０：ＹＥＳ）、スレーブの放送受信装置（例えば、放送受信装置２０）はスキャンを行い（Ｓ１１）、スキャン結果（例えば、スキャン結果ｔ２）を作成してマスターの放送受信装置へ送信する（Ｓ１２）。
【００８２】
上述したマスターの放送受信装置１０におけるＳ１〜Ｓ３の処理、及びスレーブの放送受信装置２０等におけるＳ１０〜Ｓ１２の処理を繰り返すことで、マスターの放送受信装置１０は、スレーブの放送受信装置２０〜５０のスキャン結果ｔ２〜ｔ５を全て受信することになり、それによりＳ２の段階において全てのスキャン結果を受信した場合に該当し（Ｓ２：ＹＥＳ）、周波数テーブル作成の段階へ進む（Ｓ４）。周波数テーブル作成の段階では、上述したように、制御部１４が自身のスキャン結果ｔ１を含むスキャン結果ｔ１〜ｔ５に関してポイントに基づく統計的な算出処理を行って受信すべきservice_id（チャンネルと同等）に応じた周波数を順次決定して図４（ａ）に示すような周波数テーブルＴを作成する。
【００８３】
それからマスターの放送受信装置１０は、作成した周波数テーブルＴと、前回に作成した周波数テーブルとを比較し、中身が一致するか否かを判断する（Ｓ５）。中身が一致する場合（Ｓ５：ＹＥＳ）、作成した周波数テーブルＴに変更する必要性がないので、更新しない旨を伝える「更新無し情報」をスレーブの各放送受信装置２０〜５０へ送信し（Ｓ６）、マスターの放送受信装置１０における今回の周波数テーブル作成の処理は一旦終了することになる。
【００８４】
また、作成した周波数テーブルＴと、前回に作成した周波数テーブルとを比較し、中身が一致しない場合（Ｓ５：ＮＯ）、マスターの放送受信装置１０は、作成した周波数テーブルＴをスレーブの放送受信装置２０〜５０へ送信し（Ｓ７）、第２メモリ１５ｂに記憶していた前回の周波数テーブルを、今回作成した新たな周波数テーブルＴに置き換えて更新する（Ｓ８）。
【００８５】
一方、スレーブの放送受信装置（例えば、放送受信装置２０）は、スキャン結果送信（Ｓ１２）の後、「更新無し情報」を受信したか否かを判断し（Ｓ１３）、「更新無し情報」を受信した場合（Ｓ１３：ＹＥＳ）、前回の周波数テーブルをそのまま使用できることから、スレーブの放送受信装置における今回の周波数テーブル作成の処理は一旦終了する。
【００８６】
また、「更新無し情報」を受信していない場合（Ｓ１３：ＮＯ）、スレーブの放送受信装置は次に、マスターの放送受信装置１０から送られてくる周波数テーブルＴを受信したか否かを判断する（Ｓ１４）。周波数テーブルＴを受信していない場合（Ｓ１４：ＮＯ）、Ｓ１３の段階へ戻り、再度、「更新無し情報」の受信又は周波数テーブルＴの受信を待つ状態となる。
【００８７】
そして、周波数テーブルＴを受信した場合（Ｓ１４：ＹＥＳ）、スレーブの放送受信装置は、前回の周波数テーブルを、新たな周波数テーブルＴに置き換えて更新する（Ｓ１５）。なお、マスター及びスレーブの各放送受信装置１０〜５０では、新たな周波数テーブルＴに更新すると（Ｓ８、Ｓ１５）、図６に示すような周波数変更通知画面４を表示して、ユーザに周波数の変更があった旨を提示する。
【００８８】
上述したフローチャートの処理が完了することにより、マスター及びスレーブの各放送受信装置１０〜５０は共通の周波数テーブルＴを保持することになるので、放送受信装置システム１に含まれる全ての放送受信装置は、同等の受信特性を具備することになり、システムのある放送受信装置では受信できる放送局を、システムの他の放送受信装置では受信できないという事態が発生することを防止できる。また、更新される周波数テーブルＴは、スキャン時刻及び放送受信装置が移動・携帯式であるか否かなどを、ポイントに基づき統計的に判断した結果により作成されるので、一時的な受信状況の変化の影響を極力受けにくい受信特性を確保できる。
【００８９】
なお、本発明は、上述した実施形態に限定されるものではなく、種々の変形例が考えられる。例えば、放送受信装置システム１に含まれる放送受信装置としては、テレビジョン装置以外に、地上デジタルテレビジョン放送の受信が可能な録画装置も該当する。放送受信装置システム１に含まれる放送受信装置の数は５台に限定されるものではなく、２台以上の放送受信装置であれば、システム構築が可能である。また、システム構築に用いる放送受信装置としては、上述したように、固定式の装置と、移動・携帯式の装置とを混在させる場合以外に、固定式の装置のみ、又は移動・携帯式の装置のみでシステムを構築することも可能である。
【００９０】
固定式の放送受信装置で、放送受信装置システム１に含ませる装置対象となり得るのは、同じルータ又は同じDLNAサーバーに接続されている装置、又は共用アンテナで繋がった装置等が挙げられる。なお、これらの固定式の放送受信装置を通信可能に接続する手段としては、上述した通信ケーブル以外に、放送受信装置側に共用アンテナ又は電力線で通信する機能を具備させれば、アンテナ線又は電力線を用いることも可能である。
【００９１】
さらに、移動・携帯式の放送受信装置をシステムに含ませるには、上述したように接続確認を行って、これらの移動・携帯式の放送受信装置を認識できるかを判断するが、隣の建物に設置された固定式の放送受信機等のシステム等に、自己の移動・携帯式の放送受信争議が勝手に取り込まれないようにするためには、システム構築の際にも位置情報を判断して、システムに含ませるか否かを判断することが好適である。具体的には、最初に通信ネットワークを介してシステムの構築を行うときの接続確認の際、認識できた装置が移動・携帯式の放送受信装置であれば、位置情報の取得を認識できた移動・携帯式の放送受信装置に要求し、要求により送られてきた位置情報と自己の位置とを比較して、認識できた移動・携帯式の放送受信装置の位置が、自己の位置の周辺であるかを判断する。この判断により、認識できた移動・携帯式の放送受信装置が位置的に又は所有者の関係等よりシステムに含ませるべきでないと判断でき、その判断結果により無関係の装置を排除できる。
【００９２】
なお、上記の移動・携帯式の放送受信装置をシステムに含ませるか否かの判断では、ユーザが能動的に判断できる操作機会を設けるために、例えば、最初の接続認識を赤外線通信（IrSS等）で行った際に、認識できた移動・携帯式の放送受信装置をシステムに含ませるか否かを決定できるダイアログ画面を表示できる仕様にしておくことが好ましい。また、移動・携帯式の放送受信装置の方も、最初の接続認識の際に、固定式の放送受信装置に構築されているシステムを接続先として認識した場合は、そのシステムの位置情報を位置検出部４９で検出して、第２メモリ１５ｂに記憶しておくと、再度、その場所で接続認識を行う際の接続処理をスムーズに行うことが可能となり好適である。
【００９３】
また、マスター/スレーブの設定は、上述した実施形態では、図３（ａ）の第１メニュー画像２の「（２）マスター/スレーブの設定」の項目がユーザに選択されることで、手動で行われるようにしているが、最初の接続認識の際、相互に制御部等の処理能力を比較し、最も処理能力の高い放送受信装置を自動的にマスターとして設定するアルゴリズムを導入することも可能である。この際、マスターとして設定されるのは、固定式の放送受信装置のみに限定する方式、又は、システムに含まれる全ての放送受信装置をマスターの対象にする方式の二通りが考えられ、いずれを適用してもよい。
【００９４】
すなわち、固定式の放送受信装置を最初にマスターに設定すると、後は、システムを構築する装置数が増減しても、柔軟に対応しやすくなると共に、時間的にもシステムに含まれる装置の認識等をスムーズに行いやすくなる。また、マスターの設定対象を限定しない場合は、移動・携帯式の放送受信装置として、処理能力の高いスマートフォンもマスターに設定でき、システムに含まれる放送受信装置が流動的なときなどには、移動・携帯式の放送受信装置をマスターに設定すると柔軟に対応することが可能となる。このようにシステムの構成が流動的となる場合は、システムに関する情報を移動・携帯式の放送受信装置に一時的に記憶させておくと、その後、システムの構成が変化しても、変化した部分のみ新たに認識すれば良くなるので、システム構成の変化にも対応しやすくなる。
【００９５】
また、上述した実施形態では、周波数テーブルＴの作成処理の開始となるトリガーを、現在の時刻がスキャンスケジュールの時刻であるかを、マスターの放送受信装置１０の制御部１４が、内蔵するクロック機能で計時される時刻との対比で判断することで自動で進行するようにしていたが、ユーザによる手動操作で処理を開始するようにしてもよい。手動操作で処理を開始する場合は、図３（ａ）の第１メニュー画像２の「（４）スキャン結果同期」の項目をユーザが選択して決定することにより手動で行われ、この項目の選択により、スキャン指示が、マスターの放送受信装置１０からスレーブの放送受信装置２０〜５０のそれぞれへ送られ、スレーブの放送受信装置２０〜５０はスキャン結果をマスターの放送受信装置１０へ送ることになる（なお、スキャンが未実施の場合は、スキャンを行ってからスキャン結果を送る）。
【００９６】
さらに、自動で周波数テーブルＴの作成処理を開始するトリガーは、上述したスキャンスケジュールによる以外にも、システムに含まれる各放送受信装置１０〜５０がスキャンを行うと、そのスキャンによるスキャン結果と、その時点で記憶している周波数テーブルとを比較し、受信対象となるservice_id（チャンネルに相当）に応じた周波数が相異することを検出した場合に処理を開始するようにしてもよい。この場合、周波数が相異したことを検出したのがマスターの放送受信装置であれば、図８のフローチャートにおける開始条件が成立した場合（Ｓ１：ＹＥＳ）に相当することになる。また、周波数が相異したことを検出したのがスレーブの放送受信装置２０〜５０のときは、スレーブの放送受信装置が処理の開始を要請する要請信号をマスターの放送受信装置１０へ送信することになり、この場合、マスターの放送受信装置１０で、この要請信号を受信したことが、図８のフローチャートにおける開始条件が成立した場合（Ｓ１：ＹＥＳ）に相当することになる。
【００９７】
さらにまた、上述した自動で周波数テーブルＴの作成処理を開始する場合においても、各放送受信装置１０〜５０が単一の前処理部１１（チューナ部１１ａ）を具備するときは、スキャン指示があってもユーザが視聴中（又は録画中）であればスキャンを行えず、ユーザの視聴等の終了後にスキャンを行うことになるので、必然的にスキャン時刻がバラバラになることを考慮すれば、上述したようにスキャンスケジュールを設けずに処理を開始することも可能である。この場合は、各放送受信装置１０〜５０は、一律に同一の時刻（例えば０時３０分）にスキャンを開始するようにプログラミングしておくが、その時刻（０時３０分）にユーザが視聴又は録画を行っていれば、視聴又は録画終了後にスキャンを開始するようにプログラミングしておく。
【００９８】
この場合の処理の流れを図９の変形例のフローチャートに示す。変形例のフローチャートでは、マスターの放送受信装置１０は、開始条件成立として現在の時刻が処理開始時刻（例えば０時３０分）であるか否かを判断し（Ｓ１′）、処理開始時刻に到達しない場合は開始条件未成立（Ｓ１′：ＮＯ）として、条件成立を待つ状態となる。一方、開始条件が成立した場合（Ｓ１′：ＹＥＳ）、次に、マスターの放送受信装置１０は、スキャン指示を送信することなく、全てのスキャン結果を受信したか否かを判断する（Ｓ２′）。全てのスキャン結果を受信していない場合（Ｓ２′：ＮＯ）、スキャン結果の受信待ちの状態となり、全てのスキャン結果を受信した場合は（Ｓ２′：ＹＥＳ）、次は、図８のフローチャートのＳ４の段階へ進み、以降のマスターの放送受信装置１０における処理は図８のフローチャートのＳ４の段階以降と同等になる。なお、マスターの放送受信装置１０でも、開始条件成立（Ｓ１′：ＹＥＳ）にあわせてスキャンを行うことになるが、マスターの放送受信装置１０が視聴又は録画を行っていれば、視聴又は録画終了後にスキャンを行うことになる。
【００９９】
一方、スレーブの放送受信装置２０〜５０でも最初に、開始条件が成立したか否かを判断する（Ｓ１０′）。この開始条件は、現在の時刻が処理開示時刻（例えば０時３０分）以降であると共にユーザが視聴又は録画中でないという二つの条件が満たされる必要がある。スキャン開始条件が成立していない場合（Ｓ１０′：ＮＯ）、条件成立を待つ状態となり、条件が成立した場合（Ｓ１０′：ＹＥＳ）、スキャンを行い（Ｓ１１′）、それからスキャン結果をマスターの放送受信装置１０へ送信し（Ｓ１２′）、以降のスレーブの放送受信装置における処理は図８のフローチャートのＳ１５の段階以降と同等になる。
【０１００】
このような図９の変形例のフローチャートでは、マスターの放送受信装置１０がスキャンスケジュールを設けなくても、ユーザの使用状況に応じて、スキャン時刻が適度に分散されるので、処理負担を低減でき好適となる。なお、スキャン結果をマスターの放送受信装置１０へ送信する場合、ユーザが視聴中でもその旨を提示できるように、画面の隅に、送信中を表すアイコン等を表示して、送信中である旨をユーザに提示してもよい。
【０１０１】
なお、図９に示す変形例のように、各放送受信装置１０〜５０が同時（同一の時刻に）スキャンを開始する場合においても、マスターの放送受信装置１０が、スレーブの各放送受信装置２０〜５０へスキャン指示を同時に送信し、開始条件を成立させ、スキャンを行わせるようにしてもよい。このように同一の時刻にスキャン指示を行うことは特に、携帯式の放送受信装置４０、５０のように位置が変わることで受信状況に差が生じることもある装置にとって好適である。さらに、同時に各スキャン指示を送信するのは、時刻を変えて複数回行うことも可能であり、それにより、刻々と受信状況が変化するような場合にも柔軟な対応が可能となる。
【０１０２】
また、各スキャン結果ｔ１〜ｔ５に基づき周波数テーブルＴを作成するアルゴリズムとしては、上述したように重み付けを付加する以外に、同一のservice_id（チャンネル）に応じた周波数の中で、複数のスキャン結果ｔ１〜ｔ５に含まれる受信可能な周波数の多い順（多数決）で受信すべきservice_id（チャンネル）の周波数を決定してもよい。
【０１０３】
例えば、スキャン結果ｔ１におけるservice_id 01の周波数には「ｘｘｘ．０１」が記載され、スキャン結果ｔ２におけるservice_id 01の周波数には「ｘｘｘ．０１」が記載され、スキャン結果ｔ３におけるservice_id 01の周波数には「ｘｘｘ．５５」が記載され、スキャン結果ｔ４におけるservice_id 01の周波数には「ｘｘｘ．５５」が記載され、スキャン結果ｔ５におけるservice_id 01の周波数には「ｘｘｘ．０１」が記載されていた場合、「ｘｘｘ．０１」の数が「３」、「ｘｘｘ．５５」の数が「２」であることから、service_id 01に対して受信すべき周波数を「ｘｘｘ．０１」に決定することになる。このように多数決で受信すべき周波数を決定する場合は、上述したポイントの算出が不要になることから、処理アルゴリズムが簡易化され、制御部１４の処理負担を低減できる。
【０１０４】
なお、上述した本発明の実施例及び変形例では、周波数テーブルの作成を例として説明したが、本発明の処理対象は、周波数テーブルの作成に限定されるものではなく、例えば、放送受信装置システム１における通信ネットワーク設定、テレビジョン画面に係る画質設定、ユーザのお好み設定、各種ＩＤ設定、録画又は視聴予約の設定等の放送受信装置に係る各種設定にも広く適用可能である。さらに、このような周波数テーブル等の各種処理対象について、上述した本発明の実施例及び変形例は、地上デジタル放送の他に、ＢＳ／ＣＳデジタル放送、ＣＡＴＶデジタル放送、ＩＰ放送（インターネット放送）、地域無線ＬＡＮ放送等の各種デジタル放送においても広く適用可能である。
【産業上の利用可能性】
【０１０５】
本発明は、複数の放送受信装置を通信可能に接続したシステムにおいて、デジタル放送の受信に用いられる周波数テーブルを各放送受信装置のスキャン結果に基づき統計的に作成するので、様々に変化する受信状況に対応しやすい周波数テーブルの作成について好適に利用可能である。
【符号の説明】
【０１０６】
１  放送受信システム
１０  マスターの放送受信装置
１１  前処理部
１２  デコード部
１４  制御部
１５ａ  第１メモリ
１５ｂ  第２メモリ
２０〜５０  スレーブの放送受信装置
４９  位置検出部
Ｔ  周波数テーブル
ｔ１〜ｔ５  スキャン結果
【要約】
【課題】デジタル放送の受信状況の変化の影響が生じにくい周波数テーブルを作成して、複数の放送受信装置が同等の受信特性を確保できるようにする。
【解決手段】放送受信システム１は、マスターの放送受信装置１０及びスレーブの放送受信装置２０〜５０を通信可能に接続してシステムを構築する。マスターの放送受信装置１０は、スレーブの放送受信装置２０〜５０から送られるスキャン結果を受信し、受信したスキャン結果及び自己のスキャン結果に基づき統計的に周波数テーブルを作成する。マスターの放送受信装置１０は、作成した周波数テーブルを保持すると共に、スレーブの放送受信装置２０〜５０へ送信して保持させるので、各放送受信装置１０〜５０は同一の周波数テーブルを保持することで同等の受信特性を確保する。
【選択図】図１【図１】
0005162711.tif 000002
【図２】
0005162711.tif 000003
【図３】
0005162711.tif 000004
【図４】
0005162711.tif 000005
【図５】
0005162711.tif 000006
【図６】
0005162711.tif 000007
【図７】
0005162711.tif 000008
【図８】
0005162711.tif 000009
【図９】
0005162711.tif 000010